(57)【特許請求の範囲】
【請求項１】
同じ曲に対して、車両内部の聴取者の各位置毎に最適化された音響効果を有するように調整された音声信号が、前記聴取者の各位置に対応してそれぞれ記憶されてなる記憶媒体を再生する車載用記憶媒体再生装置であって、
前記聴取者の位置を選択する位置選択手段と、
前記位置選択手段により選択された聴取者の位置に基いて前記音声信号を再生する再生手段を備えたことを特徴とする車載用記憶媒体再生装置。
【発明の詳細な説明】
【０００１】
【発明の属する技術分野】
本発明は、車室内において聴取者の位置に最適な記憶媒体の再生が可能な車載用記憶媒体及びその再生装置に関する。
【０００２】
【従来の技術】
図５は従来の記憶媒体の作成方法を説明するための図である。図６は従来の記憶媒体における曲番とトラックの関係を示す図である。以下、図に従って説明する。
レコーディング・スタジオでは、マイク９０等を使用して音楽の収録が行われる。そして、コントロールルームでは、オペレータ９５が左右に配置されたスピーカ９４Ｌ、９４Ｒを介して聴取する。
【０００３】
オペレータ９５はミキシング・コンソール９１を操作してマルチトラック・レコーダ９２に記録された各音楽パートをミキシングし、さらに残響音等を付加して所望の音楽ソフト（記憶媒体、例えばＣＤ）を作成する。
この記憶媒体のトラック１には図６に示すように左右のスピーカの中央において音響効果が最適になるように調整された音楽１が記憶され、トラック２には音楽２、トラック３には音楽３、トラック４には音楽４が記憶されている。
【０００４】
図７は従来の車載用記憶媒体再生装置の構成を示すブロック図で、（ａ）は全体図、（ｂ）は操作部７の構成図である。以下、図に従って説明する。
１はオーディオ入力源で、ＣＤ（コンパクトディスク）を再生し、音響（音声）信号を出力するＣＤプレーヤ１１、ＭＤ（ミニディスク）を再生し、音響（音声）信号を出力するＭＤプレーヤ１２から構成される。２１、２２は入力源１からの音声信号を増幅し左右の音声に変換するスピーカ等からなる音声出力部である。また、図示はしないが、この入力源１から制御部６１に対して、ＣＤ／ＭＤのトラック番号等を示す信号も出力される。６１は入力源１の選択、トラック指示を行う等、入力源１の動作制御を総合的に行う制御部である。６２は再生信号に対して左右のバランス、音場効果、残響特性、周波数特性等を調整して音声出力部２１、２２に出力する音響補償回路である。７は再生操作等を行う押し釦スイッチ（キー）等からなる操作部で、所望の入力源１を選択する入力源選択キー群７１、再生中のトラック番号を表示する液晶等の表示部７３、演奏する曲番を選択するトラック指定キー７４、トラックの前進、後退、再生指示等を行うトラック送りキー群７５、音量及び左右のバランスを調整する音量調整キー７６、音場効果を制御するためのＤＳＰ設定キー（デジタル・シグナル・プロセッサ）７７、周波数補正を行うイコライザ設定キー７８等から構成される。
【０００５】
前述のようにして作成されたＣＤ（または再生専用ＭＤ）を再生装置に挿入して、音響源選択キー７１、トラック選択キー７４により所望のトラックを指定することにより対応した曲が再生される。トラック指定を行わない時は最初の曲（トラック１）から順次再生する。また、聴取者の好みに応じてＤＳＰ設定キー７７、イコライザ設定キー７８により音場効果、周波数補正を行う。
【０００６】
【発明が解決しようとする課題】
通常のＣＤやＭＤは理想的な部屋（リスニングルーム）で左右のスピーカの中央で聞くと、左右のバランスもよく、最も音響効果が良くなるように作成されている。そのために、車室内でこのように作成されたＣＤやＭＤを再生すると、聴取者の座る位置が運転席のみか、または運転席と助手席を含めた前両席かにより左右のバランスが変化する。また、車室内では限定された空間形状、内装材による吸音、またガラスによる反射等により周波数特性、残響特性、反射特性等の音響効果もリスニングルームとは異なる。
【０００７】
この対策として、聴取者の座る位置によりその都度左右の音量バランスを調整したり、ＤＳＰやイコライザ等の音響補償回路を設けて、周波数特性、残響特性、反射特性を補正する。しかし、調整が複雑な上に再生装置が高価になるという問題がある。
本発明は、車室内の限定された状態において、聴取者の位置で音響効果が最適になるように作成した車載用記憶媒体及び安価なその再生装置を提供することを目的とする。
【０００８】
【課題を解決するための手段】
上記目的を解決するために本発明は、同じ曲に対して、車両内部の聴取者の各位置毎に最適化された音響効果を有するように調整された音声信号が、前記聴取者の各位置に対応してそれぞれ記憶されてなる記憶媒体を再生する車載用記憶媒体再生装置であって、前記聴取者の位置を選択する位置選択手段と、前記位置選択手段により選択された聴取者の位置に基いて前記音声信号を再生する再生手段を備えたことを特徴とするものである。
【００１０】
【実施例】
図１は本発明の一実施例の車載用記憶媒体の作成方法を説明するための図である。図２は本発明の一実施例の車載用記憶媒体における曲番、聴取者位置、トラックの関係を示す図である。以下、図に従って説明する。
８０は実際の車両である。８１はマルチトラック・レコーダ８２に記録された各音楽パートをミキシングするミキシング・コンソールで、狭い車両８０内に持ち込めるようにコントローラ８１ａと車外に設置される本体８１ｂに分割されている。８２は予めレコーディング・スタジオで各音楽パートが収録されたマルチトラック・レコーダである。８３はミキシング及び音響補償された音声信号をスピーカ８４Ｌ、８４Ｒに出力するためのオーディオ装置である。８５はミキシングを行うオペレータで、記憶媒体の再生時には運転席に着席した聴取者に対応する。
【００１１】
車両８０内の運転席では、オペレータ８５がミキシング・コンソール８１を操作してマルチトラック・レコーダ８２に記録された各音楽パートをオーディオ装置８３を介して左右に配置されたスピーカ８４Ｌ、８４Ｒで聴取しながらミキシングし、さらに左右のバランス、残響、周波数特性等が最良になるように調整して運転席用の音楽ソフト（記憶媒体、例えばＣＤ）を作成する。また、前両席において（運転席と助手席の中間的効果）も同様の方法により前両席用の音楽ソフトを作成する。
【００１２】
この記憶媒体のトラック１には運転席において音響効果が最適になるように調整された音楽１が記憶され、トラック２には前両席（運転席及び助手席）において音響効果が最適になるように調整された音楽１が記憶されている。以下同様に、奇数番目のトラックには運転席において音響効果が最適になるように調整された音楽２、音楽３、音楽４が記憶され、偶数番目のトラックには前両席において音響効果が最適になるように調整された音楽２、音楽３、音楽４が記憶されている。
【００１３】
図３は本発明の一実施例の車載用記憶媒体再生装置の構成を示すブロック図で、（ａ）は全体図、（ｂ）は操作部４の構成図である。以下、図に従って説明する。
１はオーディオ入力源で、ＣＤ（コンパクトディスク）を再生し、音響（音声）信号を出力するＣＤプレーヤ１１、ＭＤ（ミニディスク）を再生し、音響（音声）信号を出力するＭＤプレーヤ１２から構成される。２１、２２は入力源１からの音声信号を増幅し左右の音声に変換するスピーカ等からなる音声出力部である。また、図示はしないが、この入力源１から制御部３に対して、ＣＤ／ＭＤのトラック番号等を示す信号も出力される。３は入力源１の選択、トラック指示を行う等、入力源１の動作制御を総合的に行う制御部である。４は再生操作等を行う押し釦スイッチ（キー）等からなる操作部で、所望の入力源１を選択する入力源選択キー群４１、聴取者の位置を選択する座席選択キー４２ａ、４２ｂ、再生中のトラック番号を表示する液晶等の表示部４３、演奏する曲番を選択するトラック指定キー４４、トラックの前進、後退、再生指示等を行うトラック送りキー群４５、音量の調整を行う音量調整キー４６等から構成される。
【００１４】
図４は本発明の一実施例の車載用記憶媒体再生装置の制御部の行う処理を示すフローチャートである。以下、図に従って説明する。
ステップＳ１では、どの聴取者位置が選択されたかを判断して、運転席が選択されておればステップＳ２に移り、前両席（運転席及び助手席）が選択されておればステップＳ９に移り、選択がなければステップＳ１５に移る。つまり、ユーザにより座席選択キー４２ａ、４２ｂのいずれが操作されたか、又はいずれも操作されなかったか（選択なし）に基いて判断する。尚、運転席または前両席が選択された時は本発明の車載用記憶媒体を再生する場合であり、いずれも操作されない時は従来の方法で作成された記憶媒体を再生する場合である。
【００１５】
ステップＳ２では、曲番の指定があるか否かを判断して曲番の指定があるとステップＳ３に移り、曲番の指定がないとステップＳ４に移る。つまり、運転席が座席選択キー４２ａにより選択され、続いてユーザによる曲番を指定するトラック指定キー４４による操作があったか否かを判断する。尚、ユーザはトラック指定キー４４で曲番を指定するが、本再生装置はＣＤの対応する奇数トラックを選択して再生する。
【００１６】
ステップＳ３では、指定された曲番ｎに対応するＣＤの奇数トラック（トラック番号２ｎ−１）の曲を再生してステップＳ４に移る。つまり、制御部３はＣＤプレーヤ１１に対して図２のごとくユーザにより音楽３を聴取するために指定された曲番３に対応する奇数のトラック５を再生するように指示する。再生時には運転席の位置で最良になるように音楽がＣＤに記憶されているので、再生装置側では何ら音響補償を行う必要がない。
【００１７】
ステップＳ４では、トラック１を再生してステップＳ５に移る。つまり、ユーザによる曲番の指定がないので、最初の奇数トラック（トラック１）から再生を開始する。
ステップＳ５では、トラックの再生が完了したか否かを判断して再生が完了すればステップＳ６に移り、再生が完了しなければ、そのトラックの再生を継続する。
【００１８】
ステップＳ６では、次の奇数トラックを再生してステップＳ７に移る。つまり、前の曲の再生が完了したので、運転席に対応する次の奇数トラックを再生する。尚、再生中にトラック送りキー群４５により次（または前）の曲へ移行するように指示すると、再生中の次（または前）の奇数トラックを再生する。また、再生中にランダム演奏を行うように指示すると、奇数トラックをランダムに再生する。
【００１９】
ステップＳ７では、最終の奇数トラックであるか否かを判断して最終の奇数トラックであればステップＳ８に移り、最終の奇数トラックでなければステップＳ６に戻り順次全奇数トラックの再生を継続する。最終の奇数トラックであるか否かはＴＯＣ情報に基づき判断する。
ステップＳ８では、再生を終了して処理を終える。つまり、挿入されたＣＤについて、指定されたトラックを再生したので再生を終了する。
【００２０】
ステップＳ９では、曲番の指定があるか否かを判断して曲番の指定があるとステップＳ１０に移り、曲番の指定がないとステップＳ１１に移る。つまり、前両席が座席選択キー４２ｂにより指定され、続いてユーザによる曲番を指定するトラック指定キー４４による操作があったか否かを判断する。尚、ユーザはトラック指定キー４４で曲番を指定するが、本再生装置はＣＤの対応する偶数トラックを選択して再生する。
【００２１】
ステップＳ１０では、指定された曲番ｎに対応するＣＤの偶数トラック（トラック番号２ｎ）の曲を再生してステップＳ１１に移る。つまり、制御部３はＣＤプレーヤ１１に対して図２のごとくユーザにより音楽３を聴取するために指定された曲番３に対応する偶数のトラック６を再生するように指示する。
ステップＳ１１では、トラック２を再生してステップＳ１２に移る。つまり、ユーザによる曲番の指定がないので、最初の偶数トラック（トラック２）から再生を開始する。
【００２２】
ステップＳ１２では、トラックの再生が完了したか否かを判断して再生が完了すればステップＳ１３に移り、再生が完了しなければ、そのトラックの再生を継続する。
ステップＳ１３では、次の偶数トラックを再生してステップＳ１４に移る。つまり、前の曲の再生が完了したので、前両席に対応する次の偶数トラックを再生する。尚、再生中にトラック送りキー群４５により次（または前）の曲へ移行するように指示すると、再生中の次（または前）の偶数トラックを再生する。また、再生中にランダム演奏を行うように指示すると、偶数トラックをランダムに再生する。
【００２３】
ステップＳ１４では、最終の偶数トラックであるか否かを判断して最終の偶数トラックであればステップＳ８に移り、最終の偶数トラックでなければステップＳ１３に戻り順次全偶数トラックの再生を継続する。最終の偶数トラックであるか否かはＴＯＣ情報に基づき判断する。
ステップＳ１５では、曲番の指定があるか否かを判断して曲番の指定があるとステップＳ１６に移り、曲番の指定がないとステップＳ１７に移る。つまり、ユーザによる曲番を指定するトラック指定キー４４による操作があったか否かを判断する。
【００２４】
ステップＳ１６では、指定された曲番ｎに対応するＣＤのトラック（トラック番号ｎ）の曲を再生してステップＳ１７に移る。つまり、制御部３はＣＤプレーヤ１１に対して通常のＣＤの曲番３に対応したトラック３を再生するように指示する。
ステップＳ１７では、トラック１を再生してステップＳ１８に移る。つまり、ユーザによる曲番の指定がないので、最初のトラック（トラック１）から再生を開始する。
【００２５】
ステップＳ１８では、トラックの再生が完了したか否かを判断して再生が完了すればステップＳ１９に移り、再生が完了しなければ、そのトラックの再生を継続する。
ステップＳ１９では、次のトラックを再生してステップＳ２０に移る。つまり、前の曲の再生が完了したので、次のトラックを再生する。尚、再生中にトラック送りキー群４５により次（または前）の曲へ移行するように指示すると、再生中の次（または前）のトラックを再生する。また、再生中にランダム演奏を行うように指示すると、全トラックをランダムに再生する。
【００２６】
ステップＳ２０では、最終トラックであるか否かを判断して最終トラックであればステップＳ８に移り、最終トラックでなければステップＳ１９に戻り順次全トラックの再生を継続する。最終トラックであるか否かはＴＯＣ情報に基づき判断する。
尚、再生専用ＭＤ、ＭＤ再生装置の場合も、ＣＤのトラック構成、ＣＤ再生装置の動作と同様であるので説明は省略する。また、本例では、聴取者位置が運転席と前両席の２箇所の場合について述べたが、これに限らず、３箇所以上あっても構わない。その場合は記憶媒体側も同一曲を聴取者位置の数に応じてトラック数が増える。
【００２７】
以上のように本実施例では、聴取者の位置に対応して最良の音響効果が得られるようにＣＤ（記憶媒体）が作成されており、再生装置側では音響補償回路等は必要なく再生装置が安価になると共に、聴取者の複雑な調整も不要になる。
以上の説明では、運転席を右側として説明したが、これに限らず、左ハンドルの場合は左側として適用してもよい。また、前両席も全席指定等各種の席配置に応じて適用してもよい。
【００２８】
【発明の効果】
以上説明したように、本発明では、車室内の限定された状態において、聴取者の位置で音響効果が最適になるように形成した車載用記憶媒体及び安価なその再生装置が提供できる。
【図面の簡単な説明】
【図１】本発明の一実施例の車載用記憶媒体の作成方法を説明するための図である。
【図２】本発明の一実施例の車載用記憶媒体における曲番、聴取者位置、トラックの関係を示す図である。
【図３】本発明の一実施例の車載用記憶媒体再生装置の構成を示すブロック図である。
【図４】本発明の一実施例の車載用記憶媒体再生装置の制御部の行う処理を示すフローチャートである。
【図５】従来の記憶媒体の作成方法を説明するための図である。
【図６】従来の記憶媒体における曲番、トラックの関係を示す図である。
【図７】従来の車載用記憶媒体再生装置の構成を示すブロック図である。
【符号の説明】
１１・・・ＣＤプレーヤ、          ４３・・・表示部、
１２・・・ＭＤプレーヤ、          ４４・・・トラック指定キー、
２１、２２・・・音声出力部、      ４５・・・トラック送りキー、
３・・・・制御部、                ４６・・・音量調整キー、
４・・・・操作部、                ８１・・・ミキシング・コンソール、
４１・・・入力源選択キー。        ８２・・・マルチトラック・レコーダ、
４２・・・座席選択キー、          ８３・・・オーディオ装置。
【図１】
0004054115.tif 000002
【図２】
0004054115.tif 000003
【図３】
0004054115.tif 000004
【図４】
0004054115.tif 000005
【図５】
0004054115.tif 000006
【図６】
0004054115.tif 000007
【図７】
0004054115.tif 000008